(57)【要約】  【課題】  複数機種の親機に対応した汎用性の子機を提供し、子機に関する各種費用を削減することを目的とするものである。  【解決手段】  通信システム１０は、公衆電話網１１に接続される親機１２と、親機１２と無線通信する子機１３とからなり、子機１３を設置する場合、子機１３が親機１２にネゴシエーションして親機１２で利用できる機能が登録された機能サポート情報を取得し、親機１２が有する機能のみを子機１３のメニュー画面として表示・利用可能な状態にする構成とする。【選択図】      図１
2005223421.tif 000002
【特許請求の範囲】
【請求項１】
公衆回線に接続される親機と、該親機と無線通信する１以上の子機とからなる通信システムにおいて、
子機を親機に登録する際、
親機又は子機で利用できる機能が登録された機能サポート情報を夫々の他方の機器へ通知し、親機及び子機の両方を使用することにより実施可能な機能の内、上記機能サポート情報が示す機能のみを親機又は子機で利用可能な状態に設定することを特徴とする通信システム。
【請求項２】
公衆回線に接続される親機と、該親機と無線通信する１以上の子機とからなる通信システムにおいて、
子機を親機に登録する場合、
子機が親機に無線接続して親機で利用できる機能が登録された機能サポート情報を取得し、子機だけで実施可能な機能と、親機と子機の両方を使用することにより実施可能な機能の内前記機能サポート情報に含まれている機能のみと、をメニュー画面として表示・利用可能な状態にすることを特徴とする通信システム。
【請求項３】
公衆回線に接続される親機と無線通信する子機において、
子機を親機に登録する際には、親機に無線接続して親機で利用できる機能が登録された機能サポート情報を取得し、子機だけで実施可能な機能と、親機と子機の両方を使用することにより実施可能な機能の内前記機能サポート情報に含まれている機能のみと、をメニュー画面として表示・利用可能な状態にすることを特徴とする子機。
【発明の詳細な説明】
【技術分野】
【０００１】
本発明は、親機と、親機と無線通信する１以上の子機とを備えた通信システムに関するものである。
【背景技術】
【０００２】
現在普及している電話機や電話機とファクシミリ装置との複合機には、１台の親機に対して複数のコードレス子機を接続することが可能である。そこで、親機と子機で電話帳等の情報を共有することが有益である。
【０００３】
例えば、特許文献１には、メモリダイヤル機能を具備した通信装置において、メモリダイヤル登録内容を相互転送可能として、メモリダイヤル入力や変更の操作及びそれに要する時間を省き、メモリダイヤル登録を速やかに行うディジタル無線伝送通信装置が開示されている。
【特許文献１】特開平８−７９３５９号公報
【発明の開示】
【発明が解決しようとする課題】
【０００４】
しかしながら、従来の通信システム（親機と子機からなるシステム）においては、子機を増設する際には親機に対応した機種でないと接続できない。何故なら、親機のサポートしている機能が機種毎に異なるため、親機の機能に対応したメニューをもった子機が必要となるからである。従って、親機の機種の数だけ子機の機種も必要となる。その結果、子機の設計や生産や管理にコストが掛かる。
【０００５】
本発明は、複数機種の親機に対応した汎用性の子機を提供し、子機に関する各種費用を削減することを目的とする。
【課題を解決するための手段】
【０００６】
上記目的を達成するために本発明の通信システムは、公衆回線に接続される親機と、該親機と無線通信する１以上の子機とからなる通信システムにおいて、子機を親機に登録する際、親機又は子機で利用できる機能が登録された機能サポート情報を夫々の他方の機器へ通知し、親機及び子機の両方を使用することにより実施可能な機能の内、上記機能サポート情報が示す機能のみを親機又は子機で利用可能な状態に設定することを特徴とするものである。
【０００７】
また本発明の通信システムは、公衆回線に接続される親機と、該親機と無線通信する１以上の子機とからなる通信システムにおいて、子機を親機に登録する場合、子機が親機に無線接続して親機で利用できる機能が登録された機能サポート情報を取得し、子機だけで実施可能な機能と、親機と子機の両方を使用することにより実施可能な機能の内前記機能サポート情報に含まれている機能のみと、をメニュー画面として表示・利用可能な状態にすることを特徴とするものである。
【０００８】
また本発明の子機は、公衆回線に接続される親機と無線通信する子機において、子機を親機に登録する際には、親機に無線接続して親機で利用できる機能が登録された機能サポート情報を取得し、子機だけで実施可能な機能と、親機と子機の両方を使用することにより実施可能な機能の内前記機能サポート情報に含まれている機能のみと、をメニュー画面として表示・利用可能な状態にすることを特徴とするものである。
【発明の効果】
【０００９】
本発明によれば、子機には複数機種の親機に対応したメニューと操作キーが登録されているので、設置した親機が有する機能に応じたメニューのみを有効にすることにより、子機を共通化でき、子機に関する各種費用（設計や生産や管理等に掛かる費用）を削減することができる。
【発明を実施するための最良の形態】
【００１０】
図１は、通信システムの親機と子機の要部構成を示すブロック図である。通信システム１０は、公衆電話網１１に接続された電話機の親機１２と、親機１２と無線通信可能な子機１３とから構成される。なお、子機は複数台増設することができる。
【００１１】
親機１２は、公衆電話網１１に接続され電話機能を制御する電話回線制御部１４と、アンテナを備え子機１３との無線通信を行う無線部１５と、各種キーからなる操作部１６と、液晶パネルからなる表示部１７と、各種機能に使用されるメモリ１８と、親機１２を制御する主制御部１９とを備えている。
【００１２】
また、子機１３は、アンテナを備え親機１２との無線通信を行う無線部２０と、各種キーからなる操作部２１と、液晶パネルからなる表示部２２と、各種機能に使用されるメモリ２３と、子機１３を制御する主制御部２４とを備えている。なお、子機１３は親機１２を介して公衆電話網１１へ接続される。
【００１３】
このような通信システム１０には、様々な機能が付加されている。例えば、電話帳を登録できる電話帳機能、親機１２又は子機１３に登録されている電話帳を他方の機器に転送する電話帳転送機能、通話速度を変換して聞き取り易くする話速変換機能、表示部１７、２２に漢字を表示することができる漢字表示機能、子機１３側で留守番電話を再生したりセット／解除することができる子機リモート機能、ドアホンとして利用できるドアホン機能などが挙げられる。
【００１４】
これらの機能は通常、親機１２に備えられており、親機１２がどのような機能を備えているかどの機能が使用可能状態かという機能サポート情報がメモリ１８に記憶されている。そして、子機１３は親機１２との通信により、親機１２がもっている機能を利用することができる。
【００１５】
従って、子機１３の操作部２１と各種機能を表示するメニュー画面とは親機１２の機能に対応していることが必要である。本発明の子機１３は、複数機種の親機に対応できるように汎用性をもたせている。つまり、子機１３が接続される親機が備えている機能の多少に関わらず、操作部２１は１つのキーに複数の用途をもたせ、表示部２２に表示されるメニュー画面には複数の親機に備えられる機能の全てを表示可能としている。そのため子機１３は、接続された親機が有する機能サポート情報を取得してメモリ２３に記憶し、接続された親機が有する機能を利用できるようにしている。
【００１６】
次に、子機１３の増設時の手順と動作について説明する。図２は、子機１３増設時における親機１２と子機１３間の機能サポート情報の授受を説明するシーケンス図である。まず、ユーザにより子機１３の操作部２１が操作されて子機１３の増設が指示されると、子機１３は、親機１２に機能サポート情報をネゴシエーションする。これに応答して親機１２は、今後子機１３との通信に用いる無線ＩＤに機能サポート情報を付加して子機１３へ送信する。これに応答して子機１３は、ＡＣＫ（子機番号）を返す。これにより、親機１２は子機１３を認識することができる。
【００１７】
続いて子機１３は、取得した機能サポート情報を処理する。具体的には、機能サポート情報をメモリ２３に記憶するとともに、該当する機能を使用できる状態に設定する。これにより子機１３の増設が完了する。
【００１８】
図３は、親機１２が有する機能の動作時における子機１３側の動作を示すフローチャートである。親機１２側で機能サポート情報に登録されている機能が動作すると、ステップＳ１０において親機１２から動作している機能の情報を受信する。次にステップＳ１１へ進んでメモリ２３に記憶されている機能サポート情報を読み出す。次にステップＳ１２へ進んで親機１２で動作中の機能が子機１３でサポートされているか否かを判別する。つまりステップＳ１０で受信した機能の情報とステップＳ１１で読み出した機能サポート情報とを比較する。ステップＳ１２において、機能がサポートされていれば、ステップＳ１３へ進んで子機１３が有するメニューの中から該当するメニューを読み出して表示部２２に表示する。一方、ステップＳ１２において、機能がサポートされていなければ、子機１３側では利用できない機能であるので、メニューは表示せずに処理を終了する。
【００１９】
例えば、親機１２及び子機１３がドアホン機能に対応しておりドアホンに接続されている場合、ドアホンが鳴らされると、まず親機１２は、親機１２側でドアホン機能を動作させるとともに、ドアホンの情報を子機１３へ送信する。それを受信した子機１３は、機能サポート情報と比較してドアホンをサポートしていることを確認し、表示部２２にドアホンのメニュー画面を表示する。これにより、ユーザは親機１２又は子機１３の何れでもドアホンに応答することができる。
【００２０】
このように、子機１３には複数機種の親機に対応したメニューと操作キーが登録されているので、設置した親機が有する機能に応じて必要なメニューと操作キーのみを有効にすることにより、子機１３を共通化でき、子機に関する各種費用（設計や生産や管理等に掛かる費用）を削減することができる。
【００２１】
なお、上記実施形態では親機１２で何らかの機能が動作開始された場合について説明したが、子機１３側で何らかの機能を動作開始するときは、動作させる機能サポート情報を子機１３から親機１２へ送信すればよい。
【産業上の利用可能性】
【００２２】
本発明は、電話機やファクシミリ装置など親機と子機の関係にある通信システムに利用することができる。
【図面の簡単な説明】
【００２３】
【図１】本発明の通信システムの親機と子機の要部構成を示すブロック図である。
【図２】本発明の子機増設時における親機と子機間の機能サポート情報の授受を説明するシーケンス図である。
【図３】本発明の親機が有する機能の動作時における子機側の動作を示すフローチャートである。
【符号の説明】
【００２４】
１０    通信システム
１１    公衆電話網
１２    親機
１３    子機
１４    電話回線制御部
１５、２０    無線部
１６、２１    操作部
１７、２２    表示部
１８、２３    メモリ
１９、２４    主制御部
【図１】
2005223421.tif 000003
【図２】
2005223421.tif 000004
【図３】
2005223421.tif 000005